(57)【要約】【課題】  受話手段及び外部マイクを容易に通話者の耳又は耳近傍及び口近傍に夫々セットしてハンズフリーで、且つ、移動可能な状態で通話が可能であると共に、受話手段及び外部マイクの接続線をコンパクトに収納できるハンズフリー携帯電話を提供する。【解決手段】  携帯電話本体２の後端近傍側面に回動自在に枢支され、先端部に外部マイク３を備えた伸縮自在の回動アーム４と、該回動アーム４の先端部近傍に固着され、先端部に受話手段（イヤホン５）を備えた伸縮自在の先端アーム６と、携帯電話本体１の後端に、一端を伸縮自在に保持され、他端を係止自在に保持された紐７とを有し、通話者１６が、該紐７を首２０に掛け、受話手段を耳１８又は耳１８の近傍にセットし、外部マイク３を口１９の近傍にセットしてハンズフリーで通話自在に構成したハンズフリー携帯電話１を提供する。【選択図】  図２
2006135463.tif 000002
【特許請求の範囲】
【請求項１】
携帯電話本体の後端近傍側面に回動自在に枢支され、先端部に外部マイクを備えた伸縮自在の回動アームと、該回動アームに固着され、先端部に受話手段を備えた伸縮自在の先端アームと、携帯電話本体の後端に、一端を伸縮自在に保持され、他端を係止自在に保持された紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話。
【請求項２】
携帯電話本体の後端近傍側面に回動自在に枢支され、伸縮自在の回動アームと、該回動アームに後端近傍を固着され、後端部に外部マイクを備え、先端部に受話手段を備えた伸縮自在の先端アームと、携帯電話本体の後端に、一端を伸縮自在に設けられ、他端を係止自在に設けられた紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話。
【請求項３】
上記先端アームは可撓性の形状記憶材料で形成され、上記受話手段と外部マイクとを所定位置に保持することを特徴とする請求項１又は２記載のハンズフリー携帯電話。
【請求項４】
上記回動アームに、上記先端アームを折り曲げた状態で収納すべく係止自在の係止部が設けられていることを特徴とする請求項１，２又は３記載のハンズフリー携帯電話。
【請求項５】
上記受話手段及び外部マイクは接続線を介して携帯電話本体に接続され、該接続線は上記先端アーム及び回動アーム内に装着されていることを特徴とする請求項１，２，３又は４記載のハンズフリー携帯電話。
【請求項６】
上記携帯電話本体に、該携帯電話本体内の内蔵スピーカーと上記受話手段とを切り替え、且つ、該携帯電話本体内の内蔵マイクと上記外部マイクとを切り替える切り替えスイッチが設けられていることを特徴とする請求項１，２，３，４又は５記載のハンズフリー携帯電話。
【請求項７】
上記紐の一端は上記携帯電話本体内の後端部に設けられたラチェット付リールに巻回自在に保持され、他端は係止具を備え、携帯電話本体の後端部に設けられた係合部に係止自在に保持されることを特徴とする請求項１，２，３，４，５又は６記載のハンズフリー携帯電話。
【請求項８】
携帯電話本体の側面に取付けられる取付部材と、該取付部材後端近傍側面に回動自在に枢支され、先端部に外部マイクを備えた伸縮自在の回動アームと、該回動アームに固着され、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話用ユニット。
【請求項９】
携帯電話本体の側面に取付けられる取付部材と、該取付部材側面に回動自在に枢支され、伸縮自在の回動アームと、該回動アームに後端近傍を固着され、後端部に外部マイクを備え、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話用ユニット。
【請求項１０】
上記取付部材は携帯電話本体の側面に取付バンドによって取付けられることを特徴とする請求項８又は９記載のハンズフリー携帯電話用ユニット。
【請求項１１】
上記先端アームは可撓性の形状記憶材料で形成され、上記受話手段と外部マイクとを所定位置に保持することを特徴とする請求項８，９又は１０記載のハンズフリー携帯電話用ユニット。
【請求項１２】
上記回動アームに、上記先端アームを折り曲げた状態で収納すべく係止自在の係止部が設けられていることを特徴とする請求項８，９，１０又は１１記載のハンズフリー携帯電話。
【請求項１３】
上記受話手段及び外部マイクは接続線を介して携帯電話本体に接続され、該接続線は上記先端アーム及び回動アーム内に装着されていることを特徴とする請求項８，９，１０，１１又は１２記載のハンズフリー携帯電話用ユニット。
【請求項１４】
上記接続線間に、上記受話手段及び上記外部マイクの導通を断接する断接スイッチが設けられていることを特徴とする請求項８，９，１０，１１，１２又は１３記載のハンズフリー携帯電話用ユニット。
【請求項１５】
上記紐の一端は上記固着部材内に設けられたラチェット付リールに巻回自在に保持され、他端は係止具を備え、該固着部材の後端部に設けられた係合部に係止自在に保持されることを特徴とする請求項７，８，９，１０，１１，１２，１３又は１４記載のハンズフリー携帯電話用ユニット。
【発明の詳細な説明】
【技術分野】
【０００１】
本発明は、携帯電話から手を離して通話ができるようにした所謂ハンズフリー携帯電話に関するものである。
【背景技術】
【０００２】
近年、携帯電話は広く普及しており、それに伴い、その使用についても問題が発生している。特に、車を運転しながら携帯電話を持って通話するという片手運転は極めて危険であり、法的にも規制されている。
【０００３】
又、他の作業をしながら、携帯電話で通話したいという要望は多く、携帯電話を持たずに通話できるようにする所謂ハンズフリー携帯電話が望まれている。
そして、ハンズフリー携帯電話も種々知られており、例えば、特許文献１には、イヤホン型の受話器手段と、該受話器手段のケーブルの途中に外部マイクロホンとを設けた送受話手段が記載されている。
【０００４】
又、特許文献２には、車両のサンバイザ部分にハンズフリー装置本体を取り付け、携帯電話をソケットに挿入することによって本体の外部スピーカーと外部マイクとに接続できるようになっている携帯電話のハンズフリー装置が記載されている。
【０００５】
又、特許文献３には、外部マイクロホンと、イヤホンと、携帯電話機に電気的に接続される携帯電話機側取付プラグと、携帯電話機側取付プラグと外部マイクロホン及びイヤホンとを電気的に接続する信号線とを備え、携帯電話機の使用中にハンズフリー装置の一部を発光させる発光手段を備えた携帯電話機のハンズフリー装置が記載されている。
【特許文献１】実公平６−４６１１９号公報
【特許文献２】特開平１０−３２９６１８号公報
【特許文献３】特開２００１−１５６８９２号公報
【発明の開示】
【発明が解決しようとする課題】
【０００６】
前述したように、ハンズフリー携帯電話装置は種々知られており、特許文献１乃至３に記載されたハンズフリー携帯電話装置等に於いてもそのハンズフリーの効果が期待できるが、例えば、特許文献１記載の送受話手段は、ケーブル等の収納ができないものであり、又、外部マイクの位置が口から離れる虞があり、携帯電話の保持手段を備えていないという問題がある。
【０００７】
又、特許文献２記載のハンズフリー装置は、携帯電話の車載用のハンズフリーユニットであり、車載用に限定される。
更に、特許文献３記載のハンズフリー装置は、ケーブル等の収納ができないものであり、又、携帯電話の保持手段を備えていないという問題がある。
【０００８】
以上の現状に鑑み、本発明は、受話手段及び外部マイクを容易に通話者の耳又は耳近傍及び口近傍に夫々セットしてハンズフリーで、且つ、移動可能な状態で通話が可能であると共に、受話手段及び外部マイクの接続線をコンパクトに収納できるハンズフリー携帯電話を提供することを目的とする。
【課題を解決するための手段】
【０００９】
上記の課題を解決すべく、本発明は以下の構成を提供する。
請求項１に係る発明は、携帯電話本体の後端近傍側面に回動自在に枢支され、先端部に外部マイクを備えた伸縮自在の回動アームと、該回動アームに固着され、先端部に受話手段を備えた伸縮自在の先端アームと、携帯電話本体の後端に、一端を伸縮自在に保持され、他端を係止自在に保持された紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話を提供するものである。
【００１０】
請求項２に係る発明は、携帯電話本体の後端近傍側面に回動自在に枢支され、伸縮自在の回動アームと、該回動アームに後端近傍を固着され、後端部に外部マイクを備え、先端部に受話手段を備えた伸縮自在の先端アームと、携帯電話本体の後端に、一端を伸縮自在に設けられ、他端を係止自在に設けられた紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話を提供するものである。
【００１１】
請求項３に係る発明は、上記先端アームは可撓性の形状記憶材料で形成され、上記受話手段と外部マイクとを所定位置に保持することを特徴とする請求項１又は２記載のハンズフリー携帯電話を提供するものである。
【００１２】
請求項４に係る発明は、上記回動アームに、上記先端アームを折り曲げた状態で収納すべく係止自在の係止部が設けられていることを特徴とする請求項１，２又は３記載のハンズフリー携帯電話を提供するものである。
【００１３】
請求項５に係る発明は、上記受話手段及び外部マイクは接続線を介して携帯電話本体に接続され、該接続線は上記先端アーム及び回動アーム内に装着されていることを特徴とする請求項１，２，３又は４記載のハンズフリー携帯電話を提供するものである。
【００１４】
請求項６に係る発明は、上記携帯電話本体に、該携帯電話本体内の内蔵スピーカーと上記受話手段とを切り替え、且つ、該携帯電話本体内の内蔵マイクと上記外部マイクとを切り替える切り替えスイッチが設けられていることを特徴とする請求項１，２，３，４又は５記載のハンズフリー携帯電話を提供するものである。
【００１５】
請求項７に係る発明は、上記紐の一端は上記携帯電話本体内の後端部に設けられたラチェット付リールに巻回自在に保持され、他端は係止具を備え、携帯電話本体の後端部に設けられた係合部に係止自在に保持されることを特徴とする請求項１，２，３，４，５又は６記載のハンズフリー携帯電話を提供するものである。
【００１６】
請求項８に係る発明は、携帯電話本体の側面に取付けられる取付部材と、該取付部材後端近傍側面に回動自在に枢支され、先端部に外部マイクを備えた伸縮自在の回動アームと、該回動アームに固着され、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話用ユニットを提供するものである。
【００１７】
請求項９に係る発明は、携帯電話本体の側面に取付けられる取付部材と、該取付部材側面に回動自在に枢支され、伸縮自在の回動アームと、該回動アームに後端近傍を固着され、後端部に外部マイクを備え、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したことを特徴とするハンズフリー携帯電話用ユニットを提供するものである。
【００１８】
請求項１０に係る発明は、上記取付部材は携帯電話本体の側面に取付バンドによって取付けられることを特徴とする請求項８又は９記載のハンズフリー携帯電話用ユニットを提供するものである。
【００１９】
請求項１１に係る発明は、上記先端アームは可撓性の形状記憶材料で形成され、上記受話手段と外部マイクとを所定位置に保持することを特徴とする請求項８，９又は１０記載のハンズフリー携帯電話用ユニットを提供するものである。
【００２０】
請求項１２に係る発明は、上記回動アームに、上記先端アームを折り曲げた状態で収納すべく係止自在の係止部が設けられていることを特徴とする請求項８，９，１０又は１１記載のハンズフリー携帯電話を提供するものである。
【００２１】
請求項１３に係る発明は、上記受話手段及び外部マイクは接続線を介して携帯電話本体に接続され、該接続線は上記先端アーム及び回動アーム内に装着されていることを特徴とする請求項８，９，１０，１１又は１２記載のハンズフリー携帯電話用ユニットを提供するものである。
【００２２】
請求項１４に係る発明は、上記接続線間に、上記受話手段及び上記外部マイクの導通を断接する断接スイッチが設けられていることを特徴とする請求項８，９，１０，１１，１２又は１３記載のハンズフリー携帯電話用ユニットを提供するものである。
【００２３】
請求項１５に係る発明は、上記紐の一端は上記固着部材内に設けられたラチェット付リールに巻回自在に保持され、他端は係止具を備え、該固着部材の後端部に設けられた係合部に係止自在に保持されることを特徴とする請求項８，９，１０，１１，１２，１３又は１４記載のハンズフリー携帯電話用ユニットを提供するものである。
【発明の効果】
【００２４】
本発明の請求項１記載の発明によれば、携帯電話本体の後端近傍側面に回動自在に枢支され、先端部に外部マイクを備えた伸縮自在の回動アームと、該回動アームに固着され、先端部に受話手段を備えた伸縮自在の先端アームと、携帯電話本体の後端に、一端を伸縮自在に保持され、他端を係止自在に保持された紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したハンズフリー携帯電話を提供するので、受話手段及び外部マイクを容易に通話者の耳及び口近傍に夫々セットしてハンズフリーで、且つ、移動可能な状態で通話が可能であると共に、回動アーム及び先端アームをコンパクトに収納できる。
【００２５】
請求項２記載の発明によれば、携帯電話本体の後端近傍側面に回動自在に枢支され、伸縮自在の回動アームと、該回動アームに後端近傍を固着され、後端部に外部マイクを備え、先端部に受話手段を備えた伸縮自在の先端アームと、携帯電話本体の後端に、一端を伸縮自在に設けられ、他端を係止自在に設けられた紐とを有し、通話者が、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したハンズフリー携帯電話を提供するので、請求項１記載の発明と略同様な効果が期待できる。
【００２６】
請求項３記載の発明によれば、上記先端アームは可撓性の形状記憶材料で形成され、上記受話手段と外部マイクとを所定位置に保持するので、請求項１又は２記載の発明の効果に加え、受話手段と外部マイクを通話者の耳と口近傍にセットしやすくなる。
【００２７】
請求項４記載の発明によれば、上記回動アームに、上記先端アームを折り曲げた状態で収納すべく係止自在の係止部が設けられているので、請求項１，２又は３記載の発明の効果に加え、係止部によって先端アームを円滑に収納できる。
【００２８】
請求項５記載の発明によれば、上記受話手段及び外部マイクは接続線を介して携帯電話本体に接続され、該接続線は上記先端アーム及び回動アーム内に装着されているので、請求項１，２，３又は４記載の発明の効果に加え、接続線が先端アーム及び回動アーム内に収納整理され、且つ、先端アーム及び回動アームと共に、接続線もコンパクトに収納される。
【００２９】
請求項６記載の発明によれば、上記携帯電話本体に、該携帯電話本体内の内蔵スピーカーと上記受話手段とを切り替え、且つ、該携帯電話本体内の内蔵マイクと上記外部マイクとを切り替える切り替えスイッチが設けられているので、請求項１，２，３，４又は５記載の発明の効果に加え、内蔵スピーカーと上記受話手段とを円滑に切り替え、且つ、該携帯電話本体内の内蔵マイクと上記外部マイクとを円滑に切り替えることができる。
【００３０】
請求項７記載の発明によれば、上記紐の一端は上記携帯電話本体内の後端部に設けられたラチェット付リールに巻回自在に保持され、他端は係止具を備え、携帯電話本体の後端部に設けられた係合部に係止自在に保持されるので、請求項１，２，３，４，５又は６記載の発明の効果に加え、紐の他端を係止した状態で紐を容易に伸縮させることができる。
【００３１】
請求項８記載の発明によれば、携帯電話本体の側面に取付けられる取付部材と、該取付部材後端近傍側面に回動自在に枢支され、先端部に外部マイクを備えた伸縮自在の回動アームと、該回動アームに固着され、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したハンズフリー携帯電話用ユニットを提供するので、前記ハンズフリー携帯電話用ユニットを市販の携帯電話に取付けることができると共に、受話手段及び外部マイクを容易に通話者の耳及び口近傍に夫々セットしてハンズフリーで、且つ、移動可能な状態で通話が可能であると共に、回動アーム及び先端アームをコンパクトに収納できる。
【００３２】
請求項９記載の発明によれば、携帯電話本体の側面に取付けられる取付部材と、該取付部材側面に回動自在に枢支され、伸縮自在の回動アームと、該回動アームに後端近傍を固着され、後端部に外部マイクを備え、先端部に受話手段を備えた伸縮自在の先端アームと、前記取付部材に固着される固着部材と、該固着部材の後端に、一端を伸縮自在に保持され、他端を係止自在に保持される紐とを有し、通話者が、前記取付部材を携帯電話本体の側面に取付け、該紐を伸長し他端を係止して首に掛け、前記回動アームを回動すると共に、該回動アーム、先端アーム及び紐を伸縮して受話手段を耳又は耳の近傍にセットし、外部マイクを口の近傍にセットしてハンズフリーで通話自在に構成したハンズフリー携帯電話用ユニットを提供するので、請求項８記載の発明と同様な効果が期待できる。
【００３３】
請求項１０記載の発明によれば、上記取付部材は携帯電話本体の側面に取付バンドによって取付けられるので、請求項８又は９記載の発明の効果に加え、前記取付バンドによって携帯電話へのハンズフリー携帯電話用ユニットの着脱が容易になる。
【００３４】
請求項１１記載の発明によれば、上記先端アームは可撓性の形状記憶材料で形成され、上記受話手段と外部マイクとを所定位置に保持するので、請求項８，９又は１０記載の発明の効果に加え、受話手段と外部マイクとを夫々通話者の耳と口近傍とにセットしやすくなる。
【００３５】
請求項１２記載の発明によれば、上記回動アームに、上記先端アームを折り曲げた状態で収納すべく係止自在の係止部が設けられているので、請求項８，９，１０又は１１記載の発明の効果に加え、係止部によって先端アームを円滑に収納できる。
【００３６】
請求項１３記載の発明によれば、上記受話手段及び外部マイクは接続線を介して携帯電話本体に接続され、該接続線は上記先端アーム及び回動アーム内に装着されているので、請求項８，９，１０，１１又は１２記載の発明の効果に加え、接続線が先端アーム及び回動アーム内に収納整理され、且つ、先端アーム及び回動アームと共に、接続線もコンパクトに収納される。
【００３７】
請求項１４記載の発明によれば、上記接続線間に、上記受話手段及び上記外部マイクの導通を断接する断接スイッチが設けられているので、請求項８，９，１０，１１，１２又は１３記載の発明の効果に加え、通話の開始及び終了が円滑に行える。
【００３８】
請求項１５記載の発明によれば、上記紐の一端は上記固着部材内に設けられたラチェット付リールに巻回自在に保持され、他端は係止具を備え、該固着部材の後端部に設けられた係合部に係止自在に保持されるので、請求項８，９，１０，１１，１２，１３又は１４記載の発明の効果に加え、紐の他端を係止した状態で紐を容易に伸縮させることができる。
【発明を実施するための最良の形態】
【００３９】
以下、実施例を示した図面を参照しつつ本発明の実施の形態を説明する。図１及び図２に於いて、１は本発明の第１の実施形態であるハンズフリー携帯電話であり、ハンズフリー携帯電話１は、折り畳み自在タイプの携帯電話本体２の後端（キーボード側下端）近傍の右側面に回動自在に枢支され、先端部に外部マイク３を備えた伸縮自在の回動アーム４と、回動アーム４に固着され先端部に受話手段であるイヤホン５を備えた伸縮自在の先端アーム６とを備え、更に、携帯電話本体２の後端に、一端を伸縮自在に保持され、他端を係止自在に保持された紐７とを有している。尚、前記回動アーム４は基端側の筒状体４Ａと、筒状体４Ａ内をスライドする先端側のスライド部材４Ｂから成り、前記先端アーム６も同様な構成であり、この場合、先端アーム６は筒状体４Ａの先端部、又は、スライド部材４Ｂの先端部に固着される。
【００４０】
又、前記携帯電話本体２は折り畳み自在タイプに代えて、回転自在タイプ、又は、折り畳み或いは回転をしないタイプ等のいずれでも可能であり、然る時も、略同様の効果を得ることができる。
【００４１】
そして、前記先端アーム６は合成樹脂、ゴム、又は、金属から成る可撓性の形状記憶材料で図２に示す如く湾曲状に形成され、前記イヤホン５と外部マイク３とを所定位置に保持するように構成されている。
【００４２】
又、前記回動アーム４の側面前端部と側面後端部に、図１に示す如く、前記先端アーム６を折り曲げた状態で収納すべく係止自在の２つの係止部８，８が夫々二股状に突設して設けられている。
【００４３】
更に、前記イヤホン５及び外部マイク３は接続線（図示せず）を介して携帯電話本体２に接続され、接続線は先端アーム６及び回動アーム４内に装着されている。
更に又、前記携帯電話本体２内の回動アーム４の枢支部近傍に、回動アーム４が収納位置から通話位置へ回動した時、携帯電話本体２内の内蔵スピーカー１０と前記イヤホン５とを切り替え、且つ、携帯電話本体２内の内蔵マイク１１と前記外部マイク３とを切り替える切り替えスイッチ１２が設けられている。
【００４４】
そして、前記紐７の一端は前記携帯電話本体２内の後端部に設けられたラチェット付リール１３に巻回自在に保持され、他端は係止具１４を備え、携帯電話本体２の後端部に設けられた係合部１５に係止自在に保持される。
【００４５】
又、前記ラチェット付リール１３は、紐７を巻回する方向に付勢されており、紐７が適宜長さに引き出された時、ラチェット機構（図示せず）によってその回転位置で停止し、紐７が所定長さ以上引き出されるとラチェット機構の作動が停止して、引き出された紐７を巻回するように構成されている。
【００４６】
而して、携帯電話本体２を折り畳み、前記紐７の一端を伸長し他端の係止具１４を携帯電話本体２の後端部に設けられた係合部１５に係止して、図２に示す如く、通話者１６の首２０に掛け、前記回動アーム４を先端アーム６と共に回動し、更に、先端アーム６を係止部８，８の係止から外し、回動アーム４、先端アーム６及び紐７を伸縮してイヤホン５を耳１８に装着し、外部マイク３を口１９の近傍にセットすると共に、携帯電話本体２本体の位置も最適な位置にセットする。
【００４７】
この状態で、ハンズフリー携帯電話１に着信があると、前記通話者１６は、折り畳み自在タイプの携帯電話本体２を少し開いた状態で、通話ボタン１７を押すとハンズフリーで通話が可能になる。尚、前記回動アーム４を通話位置に回動させた時、前記切り替えスイッチ１２が切り替えられており、これによって、内臓スピーカー１０、及び、内臓マイク１１は遮断され、前記外部マイク３、及び、イヤホン５が導通状態になっている。
【００４８】
又、図３に示す如く、通話者１６は携帯電話本体２を少し開いた状態で、或いは、所定角度開いて、携帯電話本体２の画面を見ることができるため、画面に携帯電話本体２内に記憶したデータ等を表示し、その表示画面を見ながら通話をすることが可能である。
【００４９】
尚、前記先端アーム６を適宜長さに伸長させると、前記先端アーム６が可撓性の形状記憶材料で湾曲状に形成されているので、イヤホン５と外部マイク３の位置を夫々通話者の耳１８と口１９の近傍に円滑にセットすることができる。
【００５０】
通話が終了したら、通話ボタン１７を押して通話状態を切断し、イヤホン５を耳１８から外し、紐７を首２０から外し、回動アーム４、先端アーム６を縮小すると共に、回動アーム４を携帯電話本体２の長手方向と同一方向になるように回動させ、先端アーム６の前記回動アーム４近傍を湾曲方向と反対方向に折り曲げて回動アーム４の係止部８，８に係止させて収納する。この時、回動アーム４及び先端アーム６内に装着された接続線も同様に収納される。前記回動アーム４を収納位置に回動させた時、前記切り替えスイッチ１２が切り替えられ、これによって、内臓スピーカー１０、及び、内臓マイク１１は導通状態になり、前記外部マイク３、及び、イヤホン５が遮断状態になる。
【００５１】
一方、前記紐７を所定長さ引き出して前記ラチェット付リール１３のラチェット機構の作動を停止させ、ラチェット付リール１３によって引き出された紐７を巻回させる。
【００５２】
斯くして、本発明の第１の実施形態であるハンズフリー携帯電話１は、イヤホン５及び外部マイク３を容易に通話者１６の耳１８及び口１９近傍に夫々セットしてハンズフリーで、且つ、通話者１６が移動可能な状態で通話が可能であると共に、回動アーム４、先端アーム６及び紐７をコンパクトに収納できる。
【００５３】
又、前記先端アーム６は可撓性の形状記憶材料で形成され、イヤホン５と外部マイク３とを所定位置に保持するので、イヤホン５と外部マイク３を通話者の耳１８と口１９近傍にセットしやすくなる。
【００５４】
更に、前記回動アーム４に係止部８，８が設けられているので、係止部８，８によって先端アーム６を係止して円滑に収納できる。
【００５５】
更に又、前記接続線は先端アーム６及び回動アーム４内に装着されているので、接続線が先端アーム６及び回動アーム４内に収納整理され、且つ、先端アーム６及び回動アーム４の縮小動作と共に、接続線もコンパクトに収納される。
【００５６】
そして、前記切り替えスイッチ１２によって、内蔵スピーカー１０と前記イヤホン５とを円滑に切り替え、且つ、携帯電話本体２内の内蔵マイク１１と外部マイク３とを円滑に切り替えることができる。
【００５７】
又、前記紐７の一端はラチェット付リール１３に巻回自在に保持され、他端は係止自在に保持されるので、紐７の他端を係止した状態で紐７を容易に伸縮させることができ、且つ、収納できる。
【００５８】
図４に於いて、２１は本発明の第２の実施形態であるハンズフリー携帯電話を示し、該ハンズフリー携帯電話２１は、前記ハンズフリー携帯電話（図１に於いて１）の回動アーム（図１に於いて４）に代えて、後述する回動アーム２２が設けられ、先端アーム（図１に於いて６）に代えて後述する先端アーム２３が設けられている。
【００５９】
即ち、伸縮自在の回動アーム２２の先端部近傍に、後端近傍を固着され、後端部に外部マイク３を備え、先端部にイヤホン５を備えた伸縮自在の先端アーム２３が設けられている。
【００６０】
前記ハンズフリー携帯電話２１は前記ハンズフリー携帯電話１と同様に用いることができると共に、ハンズフリー携帯電話１と同様の効果が期待できる。
又、図５及び図６に於いて、３１は本発明の第３の実施形態であるハンズフリー携帯電話用ユニットを示し、該ハンズフリー携帯電話用ユニット３１は、該ハンズフリー携帯電話用ユニット３１を、イヤホンマイクジャックを持つ、市販の例えば折り畳み自在の携帯電話本体３２に取付けて、前記ハンズフリー携帯電話（図１に於いて１）と同様にハンズフリー通話を可能とするものである。
【００６１】
尚、前記携帯電話本体３２は折り畳み自在タイプに代えて、回転自在タイプ、又は、折り畳み或いは回転をしないタイプ等のいずれでも可能であり、然る時も、略同様の効果を得ることができる。
【００６２】
尚、説明の都合上、前記ハンズフリー携帯電話（図１に於いて１）と同一構成部分については同一符号を付してその説明を省略する。
前記ハンズフリー携帯電話用ユニット３１は、携帯電話本体３２の側面に取付けられる合成樹脂等から成る棒状の取付部材３３と、取付部材３３後端近傍側面に回動自在に枢支され、先端部に外部マイク３を備えた伸縮自在の回動アーム４と、回動アーム４に固着され、先端部にイヤホン５を備えた伸縮自在の先端アーム６と、前記取付部材３３の後端裏面に固着される箱状の固着部材３４と、固着部材３４の後端に、一端を伸縮自在に保持され、他端を係止自在に保持される紐７とを有している。尚、前記回動アーム４は基端側の筒状体４Ａと、筒状体４Ａ内をスライドする先端側のスライド部材４Ｂから成り、前記先端アーム６も同様な構成であり、この場合、先端アーム６は筒状体４Ａの先端部、又は、スライド部材４Ｂの先端部に固着される。
【００６３】
そして、前記取付部材３３は携帯電話本体３２の側面に弾性の、又は、締付可能な、例えば、２つの取付バンド３５，３５によって取付けられる。この時、前記固着部材３４は携帯電話本体３２の裏面側に取付けられる。
【００６４】
又、前記イヤホン５及び外部マイク３は接続線３６及びイヤホンマイクプラグ３７を介して携帯電話本体３２のイヤホンマイクジャック（図示せず）に接続され、接続線３６は先端アーム６、回動アーム４及び取付部材３３内に装着されている。
【００６５】
更に、前記取付部材３３内の回動アーム４枢支点近傍にイヤホン５及び外部マイク３の導通を断接する断接スイッチ３８が設けられており、回動アーム４が通話位置に回動されると断接スイッチ３８が切り替えられ、前記イヤホン５及び外部マイク３が導通し、回動アーム４が収納位置に回動すると前記イヤホン５及び外部マイク３の導通が遮断される。
而して、２つの取付バンド３５，３５によって、前記取付部材３３を携帯電話本体３２の側面に取付け、イヤホンマイクプラグ３７をイヤホンマイクジャックに接続して、内蔵スピーカー１０及び内蔵マイク１１を、イヤホン５及び外部マイク３に夫々切り替える。
【００６６】
そして、携帯電話本体３２を折り畳み、前記紐７を伸長し他端の係止具１４を携帯電話本体２の後端部に設けられた係合部１５に係止して、図７に示す如く、通話者１６の首２０に掛け、前記回動アーム４を回動すると共に、先端アーム６を回動アーム４の係止部８，８から外し、回動アーム４、先端アーム６及び紐７を伸縮してイヤホン５を耳１８に装着し、外部マイク３を口１９の近傍にセットする。尚、前記回動アーム４を通話位置に回動させた時、前記断接スイッチ３８が切り替えられており、これによって、内臓スピーカー１０、及び、内臓マイク１１は遮断され、前記外部マイク３、及び、イヤホン５が導通状態になっている。
【００６７】
この状態で、携帯電話本体３２に着信があると、通話者１６は、折り畳み自在タイプの携帯電話本体３２を少し開いた状態で、通話ボタン１７を押すと、ハンズフリーで通話が可能になる。
【００６８】
尚、前記先端アーム６を適宜長さに伸長させると、前記先端アーム６が可撓性の形状記憶材料で湾曲状に形成されているので、イヤホン５と外部マイク３の位置を夫々通話者の耳１８と口１９の近傍に円滑にセットすることができる。
【００６９】
通話が終了したら、通話ボタン１７及び断接スイッチ３８を押して通話状態を切断し、イヤホン５を耳１８から外し、紐７を首２０から外し、回動アーム４、先端アーム６を縮小すると共に、回動アーム４を取付部材３３の長手方向と同一方向になるように回動し、先端アーム６の前記回動アーム４近傍を湾曲方向と反対方向に折り曲げて回動アーム４の係止部８，８に係止させて収納する。
【００７０】
一方、前記紐７を所定長さ引き出して前記ラチェット付リール１３のラチェット機構の作動を停止させ、ラチェット付リール１３によって引き出された紐７を巻回させる。
【００７１】
斯くして、前記ハンズフリー携帯電話用ユニット３１はイヤホンマイクジャックを持つ、市販の携帯電話本体３２に取付けて、前記ハンズフリー携帯電話１と同様な効果を得ることができると共に、市販の携帯電話本体３２に取付けることができるので、安価にハンズフリー通話を可能にすることができる。
【００７２】
図８に於いて、４１は本発明の第４の実施形態であるハンズフリー携帯電話用ユニットを示し、ハンズフリー携帯電話用ユニット４１は、前記ハンズフリー携帯電話用ユニット（図６に於いて３１）の回動アーム（図６に於いて４）に代えて、後述する回動アーム４２が設けられ、先端アーム（図５に於いて６）に代えて後述する先端アーム４３が設けられている。
【００７３】
即ち、伸縮自在の回動アーム４２の先端部近傍に、後端近傍を固着され、後端部に外部マイク３を備え、先端部にイヤホン５を備えた伸縮自在の先端アーム４３が設けられている。
【００７４】
前記ハンズフリー携帯電話用ユニット４１は前記ハンズフリー携帯電話用ユニット３１と同様に用いることができると共に、ハンズフリー携帯電話用ユニット３１と同様の効果が期待できる。
【００７５】
図９に於いて、５１は本発明の第５の実施形態であるハンズフリー携帯電話を示し、該ハンズフリー携帯電話５１は、前記ハンズフリー携帯電話（図１に於いて１）のイヤホン（図１に於いて５）に代えて耳１８内に装着しないタイプの受話手段である受話器５２が設けられている。又、前記ハンズフリー携帯電話５１は、先端アーム６の後端部が回動アーム４の筒状体４Ａの先端部に固着されている。
【００７６】
即ち、伸縮自在の先端アーム２３の先端部に、小型スピーカ（図示せず）が組み込まれた受話器５２が取付けられており、受話器５２は耳１８に装着せず、耳１８の近傍にセットして用いるものである。この時、受話器５２は、自立する回動アーム４及び先端アーム６によってセットされた位置に保持される。
【００７７】
従って、前記ハンズフリー携帯電話５１は前記ハンズフリー携帯電話１と同様に用いることができると共に、ハンズフリー携帯電話１と同様の効果が期待できると共に、該受話器５２は耳１８の近傍にセットするものであるため、前記イヤホン５の如く、耳に装着する手間がかからず、セットが容易になる利点がある。
【００７８】
又、同様に、前述したハンズフリー携帯電話２１、ハンズフリー携帯電話用ユニット３１及びハンズフリー携帯電話用ユニット４１に設けたイヤホン５に代えて前記受話器５２を設けることも可能であり、然る時も同様の効果が期待できる。
【００７９】
更に、前記ハンズフリー携帯電話５１は、先端アーム６の後端部が比較的安定している回動アーム４の筒状体４Ａの先端部に固着されているので、先端アーム６、及び、受話器５２が安定して保持される。
【００８０】
尚、前述したハンズフリー携帯電話２１、ハンズフリー携帯電話用ユニット３１及びハンズフリー携帯電話用ユニット４１の先端アーム６，２３又は４２も同様に回動アーム４の筒状体４Ａ、回動アーム２２の筒状体２２Ａ又は回動アーム４２の筒状体４２Ａに固着することが可能であり、然る時も同様の効果が期待できる。
【図面の簡単な説明】
【００８１】
【図１】本発明の第１の態様のハンズフリー携帯電話を示す平面図である。
【図２】図１のハンズフリー携帯電話の使用状態を示す正面図である。
【図３】図１のハンズフリー携帯電話の使用状態を示す側面図である。
【図４】本発明の第２の態様のハンズフリー携帯電話を示す平面図である。
【図５】本発明の第３の態様のハンズフリー携帯電話用ユニットを示す平面図である。
【図６】図５のハンズフリー携帯電話用ユニットを携帯電話本体に取付けた状態を示す平面図である。
【図７】図６のハンズフリー携帯電話用ユニットを取付けたハンズフリー携帯電話の使用状態を示す正面図である。
【図８】本発明の第４の態様のハンズフリー携帯電話用ユニットを携帯電話本体に取付けた状態を示す平面図である。
【図９】本発明の第５の態様のハンズフリー携帯電話を示す平面図である。
【符号の説明】
【００８２】
１，２１，５１  ハンズフリー携帯電話
２，３２  携帯電話本体
３  外部マイク
４，２２，４２  回動アーム
６，２３，４３  先端アーム
７  紐
８  係止部
１０  内蔵スピーカー
１１  内蔵マイク
１２  切り替えスイッチ
１３  ラチェット付リール
１４  係止具
１５  係合部
１８  耳
１９  口
２０  首
３１，４１  ハンズフリー携帯電話用ユニット
３３  取付部材
３４  固着部材
３６  接続線
３８  断接スイッチ
【図１】
2006135463.tif 000003
【図２】
2006135463.tif 000004
【図３】
2006135463.tif 000005
【図４】
2006135463.tif 000006
【図５】
2006135463.tif 000007
【図６】
2006135463.tif 000008
【図７】
2006135463.tif 000009
【図８】
2006135463.tif 000010
【図９】
2006135463.tif 000011